(57)【要約】【課題】支柱とパネルとの連結をきわめて簡単にかつ確実に行えるようにしたフェンスの支柱・パネル継手構造を提供する。【解決手段】所定間隔をおいて立設された支柱１，１と、支柱１，１間に設置された格子パネル２とを継手ボルト５と継手ナット６によって連結する。支柱１と格子パネル２に継手金具３と継手金具４をそれぞれ突設する。当該継手金具３，４の双方に継手ボルト５の軸部５ａが貫通するボルト貫通孔３ａ，４ａを、一方に継手ボルト５のボルト頭部５ｂが回転を阻止された状態で嵌合する嵌合凹部３ｄを貫通孔３ａに連通して設ける。継手ボルト５の軸部５ａを貫通孔３ａ，４ａに貫通する．ボルト頭部５ｂを嵌合凹部３ｄに嵌合し、かつ継手ボルト５の軸部５ａ先端のねじ部に継手ナット６を螺合する。【選択図】                  図１
2004300752.tif 000002
【特許請求の範囲】
【請求項１】
所定間隔をおいて立設された支柱と、当該支柱間に設置されたパネルとを継手ボルトと継手ナットによって連結してなるフェンスの支柱・パネル継手構造において、前記支柱とパネルに継手金具をそれぞれ突設し、当該継手金具の双方に前記継手ボルトの軸部が貫通する貫通孔を設け、かつ前記継手金具の一方に前記継手ボルトのボルト頭部が回転を阻止された状態で嵌合する嵌合凹部を前記貫通孔に連続して設けてなることを特徴とするフェンスの支柱・パネル継手構造。
【請求項２】
所定間隔をおいて立設された支柱と、当該支柱間に設置されたパネルとを継手ボルトと継手ナットによって連結してなるフェンスの支柱・パネル継手構造において、前記支柱とパネルに継手金具をそれぞれ突設し、当該継手金具の双方に前記継手ボルトの軸部が貫通する貫通孔を設け、かつ前記継手金具の一方に前記継手ナットが回転を阻止された状態で嵌合する嵌合凹部を前記貫通孔に連続して設けてなることを特徴とするフェンスの支柱・パネル継手構造。
【発明の詳細な説明】
【０００１】
【発明の属する技術分野】
本願発明は、所定間隔をおいて立設された複数の支柱とこの支柱間に取り付けられたパネルとからなるフェンスの支柱・パネル継手構造に関する。
【０００２】
【従来の技術】
道路路側や歩車道境界、あるいは公園や動物園などにおいて、安全柵などとして設置されるフェンスとして、所定間隔おいて立設された複数の支柱と各支柱間にそれぞれ取り付けられた複数のパネルとから構成されたフェンスが広く知られている。
【０００３】
一般に、道路路側や歩車道境界、あるいは公園や動物園などにおいて、上述した構成のフェンスを安全柵として設置する場合、道路線形や遊歩道などの平面形状に沿って曲線状に設置することが多々あり、このため支柱とパネルは任意の方向に自由に延長できる構造になっていることが必要であり、また設置方向が決まった後は、各支柱とパネルとを確実に連結できる構造になっていることが求められる。
【０００４】
この種のフェンスとして、例えば図４（ａ），（ｂ）に図示するように、所定間隔おいて立設された複数の支柱２０，２０とこの各支柱２０，２０間にそれぞれ取り付けられた複数の格子パネル２１とからなるフェンスが知られている（意匠文献１参照）。
【０００５】
この場合、各支柱２０と各格子パネル２１は、双方の側部にそれぞれ突設された継手金具２２と２３を上下に重ね、かつ双方の継手金具２２と２３に形成されたボルト孔２２ａ，２３ａに継手ボルト２４を挿通し、その先端に継手ナット２５を締め付けることによってボルトそれぞれ連結されている。
【０００６】
【特許文献１】
意匠登録第７８９５７８号公報
【特許文献２】
意匠登録第８６８６２５号公報
【０００７】
【発明が解決しようとする課題】
しかし、継手ナット２５を締め付ける際、継手ボルト２４をレンチ等の工具で供回りしないように固定しながら、継手ナット２５を締め付ける必要があるため、両手で継手ボルトの締め付けを行う必要があり、作業が非常に面倒である等の課題があった。
【０００８】
本願発明は、以上の課題を解決するためになされたもので、特に支柱とパネルとの連結をきわめて簡単にかつ確実に行えるようにしたフェンスの支柱・パネル継手構造を提供することを目的とする。
【０００９】
【課題を解決するための手段】
請求項１記載のフェンスの支柱・パネル継手構造は、所定間隔をおいて立設された支柱と、当該支柱間に設置されたパネルとを継手ボルトと継手ナットによって連結してなるフェンスの支柱・パネル継手構造において、前記支柱とパネルに継手金具をそれぞれ突設し、当該継手金具の双方に前記継手ボルトの軸部が貫通する貫通孔を設け、かつ前記継手金具の一方に前記継手ボルトのボルト頭部が回転を阻止された状態で嵌合する嵌合凹部を前記貫通孔に連続して設けてなることを特徴とするものである。
【００１０】
請求項２記載のフェンスの支柱・パネル継手構造は、所定間隔をおいて立設された支柱と、当該支柱間に設置されたパネルとを継手ボルトと継手ナットによって連結してなるフェンスの支柱・パネル継手構造において、前記支柱とパネルに継手金具をそれぞれ突設し、当該継手金具の双方に前記継手ボルトの軸部が貫通する貫通孔を設け、かつ前記継手金具の一方に前記継手ナットが回転を阻止された状態で嵌合する嵌合凹部を前記貫通孔に連続して設けてなることを特徴とするものである。
【００１１】
【発明の実施の形態】
図１（ａ）〜（ｄ）は、本願発明に係るフェンスの支柱・パネル継手構造の一例を示し、図において、支柱１が所定間隔おきに立設され、この支柱１，１間に格子パネル２がそれぞれ取り付けられている。
【００１２】
各支柱１と各格子パネル２の側部に継手金具３と継手金具４がそれぞれ突設され、この継手金具３と継手金具４が継手ボルト５と継手ナット６によって互い連結され、こうして各支柱１と格子パネル２がそれぞれ互いに連結されている。
【００１３】
継手金具３は固定部３ａと固定部３ａの上端部と下端部にそれぞれ水平に突設された上端水平部３ｂおよび下端水平部３ｃとから形成され、一方、継手金具４は継手金具３の上端水平部３ｂと下端水平部３ｃ間に挿入可能な高さ、および上端水平部３ｂおよび下端水平部３ｃとほぼ同じ幅に形成されている。
【００１４】
また、継手金具３の下端水平部３ｃと継手金具４に継手ボルト５の軸部５ａが貫通するボルト貫通孔３ｄと４ａが連通して形成され、継手金具３の上端水平部３ｂの上端部に継手ボルト５のボルト頭部５ｂが回転を阻止された状態で嵌合する嵌合凹部３ｅがボルト貫通孔３ｄに連通して形成されている。
【００１５】
貫通孔３ｄおよび４ａは長孔に形成され、嵌合凹部３ｅも貫通孔３ｄおよび４ａと同じ方向に長い溝状に形成されている。また特に、嵌合凹部３ｅの内法幅はボルト頭部５ｂの外径（平行に対峙する外側面間の寸法）とほぼ同じ寸法に形成され、かつ長手方向の両端部の内側面はボルト頭部５ｂの外形（六角形のコーナ部の形状）に対応して山形状に形成されている。
【００１６】
したがって、嵌合凹部３ｅにボルト頭部５ｂが嵌合した状態の継手ボルト５は、回転できないようになっている。なお、継手金具３の下端水平部３ｃは、格子パネル２の荷重を受ける必要から、上端水平部３ｂと同じ厚さまたは上端水平部３ｂよりやや厚めに形成されている。
【００１７】
このように形成された継手金具３は固定部３ａを支柱１の側部に溶接またはボルト止めすることにより突設され、継手金具４はその基端側を格子パネル２の側部に溶接またはボルト止めすることにより突設され、先端側が継手金具３の上端水平部３ｂと下端水平部３ｃ間に挿入されている。
【００１８】
そして、継手金具４の貫通孔４ａおよび下端水平部３ｂの貫通孔３ｄに継手ボルト５の軸部５ａが嵌合凹部３ｅから連続して挿通され、かつ貫通孔３ｄの下端部から突出した軸部５ａの雄ねじ部に継手ナット６が螺合され、こうして各支柱１と各パネル２とが互いに連結されている。
【００１９】
特に、継手ナット６を締め付ける際、継手ボルト５はボルト頭部５ｂが嵌合凹部３ｅに嵌合して回転できないようになっているため、継手ナット６の締め付けを片手だけで行うことができ、作業性が非常によい。また、継手ボルト５のボルト頭部５ａが嵌合凹部３ｅ内にあって外部に突出しないので、安全性に優れ、しかも外観上もこのましい。
【００２０】
図２（ａ）〜（ｄ）は、本願発明に係るフェンスの支柱・パネル継手構造の他の例を示し、図において、各支柱１と各格子パネル２の側部に継手金具７と継手金具８がそれぞれ突設され、この継手金具７と継手金具８が継手ボルト９と継手ナット１０によって互い連結され、こうして各支柱１と格子パネル２がそれぞれ互いに連結されている。
【００２１】
継手金具７と継手金具８は、ほぼ同じ幅、同じ高さの直方体形状に形成され、かつ双方の継手金具７と８に継手ボルト９の軸部９ａが貫通する貫通孔７ａと８ａが連続して形成され、特に貫通孔７ａは長孔になっている。
【００２２】
また、継手金具８の上端部に継手ボルト９のボルト頭部９ｂが納まる収納凹部８ｂが貫通孔８ａに連通して形成され、一方継手金具７の下端部には継手ナット１０が回転を阻止された状態で嵌合する嵌合凹部７ｂが貫通孔７ａと連通して形成されている。
【００２３】
また特に、嵌合凹部７ｂの内法幅はボルト頭部９ｂの外径（平行に対峙する外側面間の寸法）とほぼ同じ寸法に形成され、長手方向の両端部の内側面はボルト頭部９ｂの外形（六角形のコーナ部の形状）に対応して山形状に形成され、したがって、嵌合凹部７ｂにボルト頭部９ｂが嵌合した状態の継手ボルト９は、回転できないようになっている。
【００２４】
このように形成された継手金具７と８はそれぞれ、支柱１と格子パネル２の側部に溶接またはボルト止めすることにより突設され、かつ継手金具７の上に継手金具８が載置されている。
【００２５】
そして、継手金具８の貫通孔８ａと継手金具７の貫通孔７ａに継手ボルト９の軸部９ａが収納凹部８ｂから連続して挿通され、かつ軸部９ａ先端の雄ねじ部が嵌合凹部７ｂ内に嵌合された継手ナット１０に螺合され、こうして各支柱１と各パネル２とが互いに連結されている。
【００２６】
特に、継手ボルト９を締め付ける際、継手ナット１０が嵌合凹部７ｂに嵌合して回転が阻止されているため、継手ボルト９の締め付けを片手だけで行うことができ、作業性が非常によい。また、継手ボルト９のボルト頭部９ｂと継手ナット１０がともに収納凹８ｂと嵌合凹部７ｂ内にあって外部に突出しないので、安全性に優れ、しかも外観上もこのましい。
【００２７】
図３（ａ）〜（ｄ）は、同じく、本願発明に係るフェンスの支柱・パネル継手構造の他の例を示し、図において、各支柱１と各格子パネル２の側部に継手金具１１と継手金具１２がそれぞれ突設され、この継手金具１１と継手金具１２が継手ボルト１３と継手ナット１４によって互い連結され、こうして各支柱１と格子パネル２がそれぞれ互いに連結されている。
【００２８】
継手金具１１と継手金具１２は、ほぼ同じ幅の直方体形状に形成され、かつ双方の継手金具１１と１２に継手ボルト１３の軸部１３ａが貫通する貫通孔１１ａと１２ａが連続して形成され、特に貫通孔１１ａは長孔になっている。
【００２９】
また、継手金具１２の上端部に継手ボルト１３のボルト頭部１３ｂが回転を阻止された状態で嵌合する嵌合凹部１２ｂが貫通孔１２ａと連通して形成されている。この場合の嵌合凹部１２ｂはボルト頭部１３ｂの形状と同じ六角形状に形成されている。したがって、嵌合凹部１２ｂにボルト頭部１３ｂが嵌合した状態の継手ボルト１３は、回転できないようになっている。
【００３０】
このように形成された継手金具１１と１２はそれぞれ、支柱１と格子パネル２の側部に溶接またはボルト止めすることにより突設され、かつ継手金具１１の上に継手金具１２が載置されている。
【００３１】
そして、継手金具１２の貫通孔１２ａと継手金具１１の貫通孔１１ａに継手ボルト１３の軸部１３ａが嵌合凹部１２ｂから連続して挿通され、かつ軸部１３ａ先端の雄ねじ部に継手ナット１４に螺合され、こうして各支柱１と各パネル２とが互いに連結されている。
【００３２】
特に、継手ナット１４を締め付ける際、継手ボルト１３のボルト頭部１３ｂが嵌合凹部１２ｂに嵌合して回転が阻止されているため、継手ボルト１３の締め付けを片手だけで行うことができ、作業性が非常によい。また、継手ボルト１３のボルト頭部１３ｂが嵌合凹部１２ｂ内にあって外部に突出しないので、安全性に優れ、しかも外観上もこのましい。
【００３３】
【発明の効果】本願発明は以上説明したとおりであり、フェンスの支柱とパネルとを双方に突設された継手金具どうしを継手ボルトと継手ナットで連結する際、前記継手金具の一方に、双方の継手金具に連続して形成された継手ボルトの貫通孔に連通して継手ボルトのボルト頭部または継手ナットが回転を阻止された状態で嵌合する嵌合凹部が形成されているので、継手ボルトまたは継手ナットの一方のみを片手で締め付けることができ、支柱とパネルとをきわめて簡単にかつ確実に連結することができる等の効果がある。
【図面の簡単な説明】
【図１】フェンスの支柱・パネル継手構造の一例を示し、（ａ）はフェンスの一部正面図、（ｂ）は（ａ）におけるイ部拡大図、（ｃ）は（ｂ）におけるロ−ロ線断面図、（ｄ）は（ｃ）におけるハ−ハ線断面図である。
【図２】フェンスの支柱・パネル継手構造の一例を示し、（ａ）は図１（ａ）におけるイ部拡大図、（ｂ）は（ａ）におけるロ−ロ線断面図、（ｃ）は（ａ）におけるニ−ニ線断面図、（ｄ）は（ｂ）におけるハ−ハ線断面図である。
【図３】フェンスの支柱・パネル継手構造の一例を示し、（ａ）は図１（ａ）におけるイ部拡大図、（ｂ）は（ａ）におけるロ−ロ線断面図、（ｃ）は（ａ）におけるニ−ニ線断面図、（ｄ）は（ｂ）におけるハ−ハ線断面図である。
【図４】フェンスの支柱・パネル継手構造の従来例を示し、（ａ）はその一部側面図、（ｂ）は一部縦断面図である。
【符号の説明】
１  支柱
２  格子パネル
３  継手金具
４  継手金具
５  継手ボルト
６  継手ナット
７  継手金具
８  継手金具
９  継手ボルト
１０  継手ナット
１１  継手金具
１２  継手金具
１３  継手ボルト
１４  継手ナット
【図１】
2004300752.tif 000003
【図２】
2004300752.tif 000004
【図３】
2004300752.tif 000005
【図４】
2004300752.tif 000006